(57)【要約】【課題】上面に開口して多数の電気部品装着部が設けられた電気接続箱において、（一）上面への水の滞留を防止する排水用溝を特別なスペースを必要とすることなく実現することが出来ると共に、（二）電気部品における発熱の問題を効果的に解消し得る、新規な構造の電気接続箱を提供すること。【解決手段】電気部品装着部２４，２６の複数を直線状に並べて電気部品装着部群１４ａ，１４ｂを形成し、前記電気部品装着部群１４ａ，１４ｂの複数を互いに所定距離を隔てて平行に配設して、隣り合う前記電気部品装着部群１４ａ，１４ｂのそれぞれを構成する周壁３２の対向部間に、少なくとも一方の端部が前記電気部品装着部群１４ａ，１４ｂの端縁部まで至って外周面３８上に開口する端部開口部４０を備えた放熱兼排水用溝３４を形成した。【選択図】図１
2011015507.tif 000002
【特許請求の範囲】
【請求項１】
電気部品装着部が上面に開口して複数設けられた電気接続箱において、
前記電気部品装着部の複数を直線状に並べて電気部品装着部群を形成すると共に、該電気部品装着部群を構成する周壁を形成する一方、前記電気部品装着部群の複数を互いに所定距離を隔てて平行に設置して、隣り合う前記電気部品装着部群の各前記周壁の対向部間に、少なくとも一方の端部が前記電気部品装着部群の端縁部まで至って外周面上に開口する端部開口部を備えた放熱兼排水用溝が形成されていることを特徴とする電気接続箱。
【請求項２】
前記放熱兼排水用溝の溝底面が、前記端部開口部側において低くされている請求項１に記載の電気接続箱。
【請求項３】
前記電気部品装着部群における前記電気部品装着部が、各該電気部品装着部のキャビティー深さの違いに基づいて前記電気部品装着部群の長手方向で纏められて配列されていることにより、前記キャビティーの底壁部から突出する前記電気部品装着部群の前記周壁の突出高さが前記電気部品装着部群の長手方向で異ならされており、前記周壁の突出高さの変化に応じて前記放熱兼排水用溝の前記溝底面の高さが異ならされている請求項２に記載の電気接続箱。
【請求項４】
前記放熱兼排水用溝の前記端部開口部が設けられた側壁面において、前記端部開口部から排出される水を下方に向かって案内する排水案内部を形成した請求項１〜３の何れか１項に記載の電気接続箱。
【発明の詳細な説明】
【技術分野】
【０００１】
本発明は、自動車等に搭載される電気接続箱に係り、特に、電気部品の装着部が上面に開口して複数設けられた電気接続箱に関する。
【背景技術】
【０００２】
従来から、自動車のエンジンルーム等には、電気配線の効率化等を目的として電気接続箱が搭載されている。この電気接続箱には、リード線やバスバー、通電基板等の通電部品の他、リレーやヒューズ、制御装置や内部通電回路に外部通電回路を接続するためのコネクタ等の各種電気部品が必要に応じて装着されている。
【０００３】
電気接続箱にリレーやヒューズ等の交換可能な電気部品を装着する場合には、自動車に搭載された電気接続箱において電気部品だけを容易に着脱可能とするために、電気接続箱の上面に開口して電気部品装着部が形成される。例えば、特開２００３−３４８７３３号公報（特許文献１）に示されている如きである。
【０００４】
ところで、エンジンルーム等に配された電気接続箱において、電気部品装着部が上面に開口していると、電気接続箱の上面に溜まった水がその開口から内部に侵入する場合があり、内部の電気部品と水が接触することで漏電や短絡等の問題が発生するおそれがある。
【０００５】
そこで、特開２００２−１５２９４３号公報（特許文献２）に記載の如く、電気部品装着部の周囲に止水壁を設けると共に外部に延び出す排水路を特別に形成する構造や、再公表特許ＷＯ２００６/ １０９８０４号公報（特許文献３）に記載の如く、電気接続箱の上面に排水用の溝を特別に形成する構造が提案されている。
【０００６】
しかしながら、上記のいずれの従来構造においても、排水用の溝を形成するだけのスペースを、電気部品装着部の形成スペースとは別に確保する必要があり、電気接続箱が大型化してしまうという問題がある。
【０００７】
特に、電気接続箱の上面に電気部品装着部を多数設ける場合には、排水用溝の形成スペースの確保が一層難しくなるだけでなく、それら多数の電気部品による発熱が問題となるおそれもある。
【先行技術文献】
【特許文献】
【０００８】
【特許文献１】特開２００３−３４８７３３号公報
【特許文献２】特開２００２−１５２９４３号公報
【特許文献３】再公表特許ＷＯ２００６/ １０９８０４号公報
【発明の概要】
【発明が解決しようとする課題】
【０００９】
本発明は、上述の事情を背景に為されたものであって、その解決課題は、上面に開口して多数の電気部品装着部が設けられた電気接続箱において、（一）上面への水の滞留を防止する排水用溝を特別なスペースを必要とすることなく実現することが出来ると共に、（二）電気部品における発熱の問題を効果的に解消し得る、新規な構造の電気接続箱を提供することにある。
【課題を解決するための手段】
【００１０】
本発明の第一の態様は、電気部品装着部が上面に開口して複数設けられた電気接続箱において、前記電気部品装着部の複数を直線状に並べて電気部品装着部群を形成すると共に、該電気部品装着部群を構成する周壁を形成する一方、前記電気部品装着部群の複数を互いに所定距離を隔てて平行に設置して、隣り合う前記電気部品装着部群の各前記周壁の対向部間に、少なくとも一方の端部が前記電気部品装着部群の端縁部まで至って外周面上に開口する端部開口部を備えた放熱兼排水用溝が形成されていることを、特徴とする。
【００１１】
本発明によれば、多数の電気部品装着部を整列してスペース効率良く設けることが出来る。そして、電気部品装着部群の対向部間を巧く用いて放熱兼排水用溝を形成したことによって、（一）特別なスペースを要することなく排水用溝を形成することが出来る。更に、放熱兼排水用溝が電気部品装着部群の対向部間に形成されることから、電気部品装着部群の間に隙間が形成される。これにより、多数の電気部品装着部をスペース効率良く設けることに起因する発熱の問題に対して、（二）有効な放熱効果を得ることも出来る。その結果、電気接続箱の小型化と高密度化の双方を達成することが出来る。
【００１２】
本発明の第二の態様は、第一の態様に記載のものにおいて、前記放熱兼排水用溝の溝底面が、前記端部開口部側において低くされているものである。このようにすれば、放熱兼排水用溝内の水を端部開口部側に流動させることが出来て、端部開口部からより確実に排水することが出来る。
【００１３】
本発明の第三の態様は、第二の態様に記載のものにおいて、前記電気部品装着部群における前記電気部品装着部が、各該電気部品装着部のキャビティー深さの違いに基づいて前記電気部品装着部群の長手方向で纏められて配列されていることにより、前記キャビティーの底壁部から突出する前記電気部品装着部群の前記周壁の突出高さが前記電気部品装着部群の長手方向で異ならされており、前記周壁の突出高さの変化に応じて前記放熱兼排水用溝の前記溝底面の高さが異ならされているものである。
【００１４】
このようにすれば、放熱兼排水用溝の溝底壁が設けられる位置が、周壁の突出高さに応じて変化されることにより、溝底壁による周壁の補強効果がより有効に発揮される。また、溝底面の高さが異ならされることによって溝底面に段差を形成することが出来、この段差を巧く利用して端部開口部側を低くすることが出来る。
【００１５】
本発明の第四の態様は、第一〜第三の何れか一つの態様に記載のものにおいて、前記放熱兼排水用溝の前記端部開口部が設けられた側壁面において、前記端部開口部から排出される水を下方に向かって案内する排水案内部を形成したものである。
【００１６】
本態様によれば、端部開口部からの排水の飛散を抑えることが出来て、より効果的で効率的な排水を行なうことが出来る。また、排水経路を設定出来ることから、例えば電気接続箱が組み付けられるカバーに設けられた排水用の孔等に排水をより確実に導くことが出来る。
【発明の効果】
【００１７】
本発明によれば、複数の電気部品装着部を直線状に並べて電気部品装着部群を形成し、それら電気部品装着部群の対向面間に放熱兼排水用溝を形成したことによって、放熱兼排水用溝をスペース効率良く形成することが出来る。それと共に、放熱兼排水用溝が介在されることによって電気部品装着部群が隙間を隔てて対向位置されることとなり、放熱効果を向上することも出来、延いては電気接続箱の小型化と高密度化の双方を達成できるものである。
【図面の簡単な説明】
【００１８】
【図１】本発明の一実施形態としての電気接続箱の上面図。
【図２】図１に示した電気接続箱の側面図。
【図３】図１におけるＩＩＩ−ＩＩＩ断面図。
【図４】図１におけるＩＶ−ＩＶ断面図。
【図５】図１におけるＶ−Ｖ断面図。
【図６】図１に示した電気接続箱のカバーへの組付状態を示す斜視図。
【発明を実施するための形態】
【００１９】
以下、本発明の実施形態について、図面を参照しつつ説明する。
【００２０】
先ず、図１〜図５に、本発明の一実施形態としての電気接続箱に係るヒューズボックス１０を示す。ヒューズボックス１０は、全体として略矩形ブロック形状を有する合成樹脂製の一体成形品とされている。より詳細には、ヒューズボックス１０は、略矩形ブロック形状を有する本体１２と、本体１２から上方に突出する一対の電気部品装着部群１４ａ，１４ｂを有している。
【００２１】
本体１２の外周面上には、複数の係止爪１６が適当な位置に適宜に突出形成されている。また、各係止爪１６の両側には、後述するカバー６０への組付方向（図２中、上下方向）に延びる案内リブ１８や、案内リブ１８を挟んだ両外側で案内リブ１８と平行に延びる誤結防止リブ２０が必要に応じて適宜に設けられている。
【００２２】
そして、本体１２の上面２２には、一対の電気部品装着部群１４ａ，１４ｂが形成されている。これら電気部品装着部群１４ａ，１４ｂは互いに略同様の構造とされていることから、以下、電気部品装着部群１４ａを例に説明する。
【００２３】
電気部品装着部群１４ａは、電気部品装着部としてのヒューズ装着部２４とヒュージブルリンク装着部２６を含んで構成されている。そして、これらヒューズ装着部２４とヒュージブルリンク装着部２６に、それぞれ、電気部品としてのヒューズとヒュージブルリンクが着脱可能に取り付けられるようになっている。
【００２４】
ヒューズ装着部２４およびヒュージブルリンク装着部２６は従来公知のように、上方に開口するキャビティ形状を有している。ヒューズ装着部２４はヒュージブルリンク装着部２６よりも小さく、図４および図５に示すように、ヒューズ装着部２４の底壁部２８は、ヒュージブルリンク装着部２６の底壁部３０よりも上方に位置されている。なお、ヒュージブルリンク装着部２６の底壁部３０は、本体１２の上面２２と同一平面上に位置されている。
【００２５】
そして、これらヒューズ装着部２４およびヒュージブルリンク装着部２６の複数が一列で一直線上に配列されることによって、電気部品装着部群１４ａ，１４ｂがそれぞれ構成されている。なお、ヒューズ装着部２４およびヒュージブルリンク装着部２６の個数は特に限定されるものではないが、本実施形態においては、電気部品装着部群１４ａは４つのヒューズ装着部２４と２つのヒュージブルリンク装着部２６から構成されている一方、電気部品装着部群１４ｂは５つのヒューズ装着部２４と２つのヒュージブルリンク装着部２６から構成されている。勿論、ヒューズ装着部２４およびヒュージブルリンク装着部２６の何れか一方のみで電気部品装着部群１４ａ，１４ｂを形成しても良い。
【００２６】
また、ヒューズ装着部２４およびヒュージブルリンク装着部２６は、本体１２の長手方向に配列されており、電気部品装着部群１４ａ，１４ｂの長手方向が、本体１２の長手方向と等しくされている。更に、電気部品装着部群１４ａ，１４ｂは所定距離を隔てて、ヒューズ装着部２４およびヒュージブルリンク装着部２６が配列された直線方向で互いに平行に配設されている。
【００２７】
なお、ヒューズ装着部２４およびヒュージブルリンク装着部２６は、電気部品装着部群１４ａ，１４ｂの長手方向でそれぞれ纏められて配列されている。更に、電気部品装着部群１４ａ，１４ｂの長手方向におけるヒューズ装着部２４とヒュージブルリンク装着部２６の配列順序は、本体１２の長手方向で互いに左右対称とされている。従って、電気部品装着部群１４ａ，１４ｂのヒューズ装着部２４およびヒュージブルリンク装着部２６は、それぞれ略対角線上に対向位置されている。
【００２８】
これら電気部品装着部群１４ａ，１４ｂはそれぞれ、本体１２から上方に突出する周壁３２でその周りが略全周に亘って囲まれている。本体１２からの周壁３２の突出端縁部は全周に亘って略一定の高さ位置に設定されており、両電気部品装着部群１４ａ，１４ｂで互いに等しくされている。従って、キャビティ深さの浅いヒューズ装着部２４の底壁部２８からの周壁３２の突出高さ寸法は、キャビティ深さの大きいヒュージブルリンク装着部２６の底壁部３０からの突出高さ寸法よりも小さくされている。
【００２９】
そして、周壁３２で囲まれた電気部品装着部群１４ａ，１４ｂが並列されることによって、これら電気部品装着部群１４ａ，１４ｂの周壁３２の対向部間に、放熱兼排水用溝３４が形成されている。放熱兼排水用溝３４は本体１２の上面２２と電気部品装着部群１４ａ，１４ｂそれぞれの周壁３２の外面によって溝内面が形成されており、本体１２の略中央にて長手方向に延びるように形成されている。
【００３０】
なお、電気部品装着部群１４ａ，１４ｂは、長手方向一方の端部が本体１２の長手方向一方の端部に位置されており、本実施形態においては、電気部品装着部群１４ａにおいてヒューズ装着部２４が設けられた側の長手方向端面３５ａと、電気部品装着部群１４ｂにおいてヒュージブルリンク装着部２６が設けられた側の長手方向端面３５ｂが、何れも、本体１２の長手方向一方の端部に位置されている。特に、電気部品装着部群１４ａの長手方向端面３５ａは、本体１２における長手方向一方の外周面３６から僅かに本体１２の内方に位置されている一方、電気部品装着部群１４ｂの長手方向端面３５ｂは、本体１２の外周面３６と同一平面上に形成されている。これにより、本体１２の外周面３６と、電気部品装着部群１４ａ、１４ｂの長手方向端面３５ａ，３５ｂによって、ヒューズボックス１０の側壁面３８が構成されており、放熱兼排水用溝３４の溝長さ方向一方の端部は、電気部品装着部群１４ａ，１４ｂの長手方向一方の端縁部に至って側壁面３８上に開口する端部開口部４０とされている。従って、放熱兼排水用溝３４は、全長に亘ってヒューズボックス１０の上方に開口すると共に、溝長さ方向一方の端部が端部開口部４０においてヒューズボックス１０の側方に開口されている。
【００３１】
また、図４に示すように、放熱兼排水用溝３４の端部開口部４０側において、溝内面を構成する電気部品装着部群１４ａの周壁３２と電気部品装着部群１４ｂの周壁３２は、ヒュージブルリンク装着部２６の底壁部３０と等しい高さ位置に形成された下段溝底壁４２で互いに接続されている。これにより、下段溝底壁４２の上面によって、本体１２の上面２２の一部が構成されていると共に、放熱兼排水用溝３４における端部開口部４０側の溝底面としての下段溝底面４４が構成されている。
【００３２】
一方、図５に示すように、放熱兼排水用溝３４の端部開口部４０と反対側において、溝内面を構成する電気部品装着部群１４ａの周壁３２と電気部品装着部群１４ｂの周壁３２は、ヒューズ装着部２４の底壁部２８とヒュージブルリンク装着部２６の底壁部３０の間の高さ位置に形成された上段溝底壁４６で互いに接続されている。上段溝底壁４６は電気部品装着部群１４ｂにおいてヒューズ装着部２４が設けられた領域の全長に亘る長さ寸法をもって形成されている。これにより、上段溝底壁４６の上面によって、放熱兼排水用溝３４の端部開口部４０と反対側の溝底面としての上段溝底面４８が構成されている。
【００３３】
したがって、放熱兼排水用溝３４は、溝長さ方向で溝底面の高さ位置が段差状に異ならされており、端部開口部４０側の下段溝底面４４が、端部開口部４０と反対側の上段溝底面４８よりも低くされている。特に、電気部品装着部群１４ｂの周壁３２において、ヒューズ装着部２４の底壁部２８から突出されることによって突出寸法が小さい部位には上段溝底壁４６が接続されると共に、ヒュージブルリンク装着部２６の底壁部３０から突出されることによって突出寸法が大きい部位には下段溝底壁４２が接続されている。このように、周壁３２の突出高さの変化に応じて上段溝底壁４６と下段溝底壁４２が接続されていることによって、周壁３２に対する補強効果がより有効に発揮され得て、周壁３２の強度が向上されると共に、これにより放熱兼排水用溝３４の溝底面に段差を形成することが出来て、この段差を巧く利用して端部開口部４０側が低くされている。
【００３４】
なお、図１から明らかなように、特に本実施形態においては、上段溝底壁４６の端部開口部４０側の端部において、電気部品装着部群１４ａの周壁３２には、電気部品装着部群１４ｂの周壁３２から離隔する凹部５０が形成されており、放熱兼排水用溝３４は凹部５０の形成部分で拡幅されている。一方、上段溝底壁４６は、一定の幅寸法とされている。従って、電気部品装着部群１４ａの周壁３２は、凹部５０において上段溝底壁４６から離隔されており、凹部５０の形成部位における放熱兼排水用溝３４の溝底面は、上段溝底面４８と下段溝底面４４で構成されている。これにより、放熱兼排水用溝３４の溝底面は、上段溝底面４８と下段溝底面４４との接続部分において溝幅方向（図１中、上下方向）でも高さ寸法が段差状に異ならされており、放熱兼排水用溝３４内の排水の流動性がより高められている。
【００３５】
また、本体１２の上面２２において側壁面３８と反対側の部位は、上段溝底壁４６と等しい高さ位置で両電気部品装着部群１４ａ，１４ｂの長手方向外方に突出して形成されており、内部回路としての図示しないバスバーを本体１２の下方より挿着固定するための突出壁５２が全体としてコの字形状をもって上方に突出して一体形成されている。そして、突出壁５２の両端部が、電気部品装着部群１４ａ，１４ｂにおいて側壁面３８と反対側の周壁３２と接続されている。これにより、放熱兼排水用溝３４の端部開口部４０と反対側の開口部分には突出壁５２が設けられており、放熱兼排水用溝３４は、端部開口部４０側でのみヒューズボックス１０の側方に開口されている。
【００３６】
なお、電気部品装着部群１４ａ，１４ｂにおいて端部開口部４０と反対側の部位は、下段溝底壁４２よりも高い位置に形成された上段溝底壁４６で互いに接続されることによって、ヒューズ装着部２４の倒れ込みが防止される。これに対して、電気部品装着部群１４ａにおいて端部開口部４０側の部位は、ヒュージブルリンク装着部２６の底壁部３０と等しい高さ位置とされた下段溝底壁４２で他方の電気部品装着部群１４ｂと接続されており、ヒューズ装着部２４の倒れ込みのおそれが高い。そこで、電気部品装着部群１４ａにおいてヒューズ装着部２４が配列された部位には、周壁３２の厚さ寸法が他方の電気部品装着部群１４ｂに向けて大きくされた補強壁部５３で強度が確保されて、ヒューズ装着部２４の倒れ込みのおそれが軽減されている。
【００３７】
また、電気部品装着部群１４ａの長手方向端面３５ａには、上面２２から上方に直線状に延びる排水案内部としての案内凸条５４が形成されている。案内凸条５４は、本体１２の外周面３６を超えない程度に長手方向端面３５ａから電気部品装着部群１４ａの長手方向外方に突出して形成されている。また、案内凸条５４の上方への延出寸法は、長手方向端面３５ａの上端部まで至らない程度とされている。
【００３８】
そして、本体１２の下方から図示しないバスバーや端子金具が差し込まれて係止機構で固定されることによって、バスバーや端子金具がヒューズ装着部２４やヒュージブルリンク装着部２６内への収容状態で固定配置されており、ヒューズ装着部２４に装着されるヒューズや、ヒュージブルリンク装着部２６に装着されるヒュージブルリンクと電気的に接続されるようになっている。
【００３９】
さらに、ヒューズボックス１０は、例えば図６に示すように、カバー６０に嵌め入れられて、係止爪１６によってカバー６０に固定される。そして、カバー６０が車体パネル等に固定されることによって、ヒューズボックス１０は、カバー６０を介して車両に取り付けられる。
【００４０】
なお、図６にも示すように、ヒューズボックス１０は、ボックス１０の上下方向を鉛直上下方向から傾斜させた状態でカバー６０に取り付けられても良い。そのような場合には、ヒューズボックス１０は、案内凸条５４が端部開口部４０よりも鉛直方向で下方に位置する方向に傾斜される。また、ヒューズボックス１０の鉛直上下方向に対する傾斜角度は、好適には０°〜４５°の範囲内に設定される。傾斜角度を０°以上とすることによって、案内凸条５４を端部開口部４０よりも鉛直方向で下方に位置させて、後述する排水の案内作用をより安定的に発揮させると共に、傾斜角度を４５°以下とすることによって、後述する案内凸条５４から誤結防止リブ２０への排水の案内作用をより安定的に発揮することが出来る。
【００４１】
このような構造とされたヒューズボックス１０によれば、複数のヒューズ装着部２４とヒュージブルリンク装着部２６が直線状に配列されて電気部品装着部群１４ａ，１４ｂを形成し、且つそれら電気部品装着部群１４ａ，１４ｂが互いに平行に配列されることによって、優れたスペース効率で多数のヒューズ装着部２４とヒュージブルリンク装着部２６を設けることが出来る。
【００４２】
そして、電気部品装着部群１４ａ，１４ｂが間隔を隔てて互いに平行に配設されることによって、放熱兼排水用溝３４の形成スペースを、本体１２の大型化を伴うことなく、極めて効率的に確保することが出来る。また、放熱兼排水用溝３４が本体１２の外方に突出することなく設けられることから、ヒューズボックス１０が取り付けられるカバー６０側にも特別に放熱兼排水用溝３４の配設スペースを考慮することも不要とされて、カバー６０の設計自由度も向上されると共に、ヒューズボックス１０の汎用性も向上することが出来る。
【００４３】
さらに、放熱兼排水用溝３４が介在されることによって、電気部品装着部群１４ａ，１４ｂが隙間を隔てて配設される。これにより、良好な放熱効果を発揮することが出来て、複数のヒューズ装着部２４とヒュージブルリンク装着部２６を小スペースに配設しつつ、発熱の問題も回避することが出来る。特に本実施形態においては、各電気部品装着部群１４ａ，１４ｂにおいてヒューズ装着部２４とヒュージブルリンク装着部２６が一列に配列されていることから、各電気部品装着部群１４ａ，１４ｂにおいて両側から放熱効果を作用させることが出来て、より優れた放熱効果が発揮される。
【００４４】
そして、ヒューズボックス１０に付着した水は、放熱兼排水用溝３４によって端部開口部４０から排水することが出来る。更に、上段溝底面４８と下段溝底面４４によって、放熱兼排水用溝３４の溝底面が段差形状とされて端部開口部４０側が低くされていることから、排水を端部開口部４０側により効果的に案内することが出来て、より優れた排水効果が得られるようになっている。そして、ヒューズボックス１０から排出された水は、例えばカバー６０に貫設されたワイヤハーネス取出口６２を通じてカバー６０外に排出される。
【００４５】
更にまた、側壁面３８に案内凸条５４が設けられていることから、端部開口部４０から排出されて本体１２の上面２２を流れる水は、案内凸条５４に衝突することによってヒューズボックス１０の下方に案内される。これにより、より優れた排水効果を得ることが出来ると共に、端部開口部４０からの不規則な水の飛散も軽減されて、外部の電気機器の浸水のおそれを軽減することも出来る。特に本実施形態においては、ヒューズボックス１０が傾斜状態でカバー６０に固定されるようになっており、この固定状態で、案内凸条５４の鉛直方向下方に誤結防止リブ２０（図２中、左端の誤結防止リブ２０）が位置されるようになっている。これにより、案内凸条５４に衝突した排水は誤結防止リブ２０に案内されて、誤結防止リブ２０を伝ってヒューズボックス１０の外部に排出されるようになっており、誤結防止リブ２０がダクトとしても機能するようになっている。
【００４６】
以上、本発明の一実施形態について詳述してきたが、これはあくまでも例示であって、例えば、２列以上の複数列に配列された電気部品装着部を周壁で囲んで１つの電気部品装着部群を構成しても良いし、また、電気部品装着部群の数も、前記実施形態の如き２つに限定されるものではなく、３つ以上設けても良い。そして、電気部品装着部群を３つ以上設ける場合には、それら３つ以上の電気部品装着部群を互いに平行に配設して、それらの各電気部品装着部群間に放熱兼排水用溝を設けることによって、２つ以上の放熱兼排水用溝を設ける等しても良い。
【００４７】
また、放熱兼排水用溝は、電気接続箱の両側の外周面上に開口しても良い。更に、放熱兼排水用溝の溝底面として、端部開口部側に向けて次第に下降する傾斜面形状を採用する等しても良いし、前記実施形態の如き段差面形状を採用する場合には、３段以上のより多段形状とする等しても良い。
【００４８】
更にまた、排水案内部の形状は、電気接続箱の形状、電気接続箱の取付部位の位置や形状等を考慮して好ましい案内方向となるように適宜に設定可能であって、前記実施形態のように必ずしも電気接続箱本体の上下方向に直線状に延び出されている必要は無く、例えば電気接続箱本体の上下方向に対して傾斜して直線状や曲線状に延びるものでも良いし、凹溝形状とする等しても良い。
【００４９】
また、前記実施形態はヒューズおよびヒュージブルリンクを挿着するヒューズボックスであるが、本発明における電気部品装着部は、リレーやコネクタ等を装着するものであっても良い。
【符号の説明】
【００５０】
１０：ヒューズボックス（電気接続箱）、１２：本体、１４ａ、１４ｂ：電気部品装着部群、２２：上面、２４：ヒューズ装着部（電気部品装着部）、２６：ヒュージブルリンク装着部（電気部品装着部）、２８：底壁部、３０：底壁部、３２：周壁、３４：放熱兼排水用溝、３８：側壁面（外周面）、４０：端部開口部、４４：下段溝底面、４８：上段溝底面、５４：案内凸条（排水案内部）
【図１】
2011015507.tif 000003
【図２】
2011015507.tif 000004
【図３】
2011015507.tif 000005
【図４】
2011015507.tif 000006
【図５】
2011015507.tif 000007
【図６】
2011015507.tif 000008